(57)【要約】【課題】快削黄銅などを切削してなる高価なターンテーブルを使用しなくても機能を果たすことができるようにしてコスト的に有利ならしめるものであり、さらにメディアの内径部分を押さえておくのに薄い板バネなどを用いなくてもすむようにする。【解決手段】ロータケース６の上側にメディアディスクをセンタリングする樹脂製の立ち上げ部８ａが一体に形成され、ロータには前記立ち上げ部の外周の位置で成形用金型挿入口８ｂが設けられ、この成形用金型挿入口を介してメディアを保持する少なくとも１個のメディアチャック用バネ部８ｃが前記立ち上げ部と一体に同樹脂で形成された。【選択図】 図１
2004146056.tif 000002
【特許請求の範囲】
【請求項１】
　ロータケース（６）の上側にターンテーブルを構成するものでメディアディスクをセンタリングする樹脂製の立ち上げ部（８ａ）が該ロータケースに一体に形成され、前記ロータケースの内側に配したマグネットと、前記ロータケースに圧入された軸とからなるロータを備え、さらに、前記ロータに前記立ち上げ部の外周の位置で成形用金型挿入口が設けられ、この成形用金型挿入口（８ｂ）を介してメディアを保持する少なくとも１個のメディアチャック用バネ部（８ｃ）が前記立ち上げ部（８ａ）と一体に同樹脂で形成されたことを特徴とするスピンドルモータ用ターンテーブル。
【請求項２】
　前記ロータケース上面に少なくともメディア載置部（８）が弾力性のある樹脂で該ロータケースに一体に形成されている請求項１に記載のスピンドルモータ用ターンテーブル。
【請求項３】
　立ち上げ部（８ａ）とメディア載置部（８）は一体に形成された請求項１又は２に記載のスピンドルモータ用ターンテーブル。
【発明の詳細な説明】
【技術分野】
【０００１】
　この発明は、ＣＤ−ＲＯＭ、ＤＶＤ−ＲＯＭなどのメディア駆動用スピンドルモータ用として好適なターンテーブルに関する。　
【背景技術】
【０００２】
　従来よりＣＤなどのメディア駆動用ブラシレスモータとしては、図３に示すように円筒型ロータケースＫの一側に快削黄銅を切削してなるメディア載置用ターンテーブルＴを一体化するとともに他側にマグネットＭを配したロータＲと、このロータＲを支持する軸Ｓと、この軸Ｓを支承するハウジングＨと、このハウジングＨの一部に載置して前記ロータＲを駆動させるステータＳＴを備えたものがある。しかしながらこのようなメディア載置用ターンテーブルＴは、黄銅を切削加工して形成するため、このコストや取り付け手間などが問題となる。特にＣＤ−ＲＯＭなどのメディアを駆動するには軸垂直度が厳しく要求されているので、メディア載置用ターンテーブルＴは軸に取り付けた後、軸を基準に切削して供用する構成が考えられているが、比較的切削しやすい黄銅であっても金属のため軸の空転などの問題がある。
　また、最近ではコスト対策のため、図４に示すように樹脂製のターンテーブルＪＴを用いるものが現れてきた。しかしながら、メディアディスクをセンタリングするに当たってメディア保持強度確保のためメディアの内径部分を押さえておく薄い板バネＢが必要になってしまう。
　さらに、ロータケースの上面をターンテーブルにし、センタリングガイドをロータケースに一体成形したものがある。そしてディスク載置面のアルミニウム快削材をロータケース上面に一体化したものがある。（特許文献１の図５、図７参照）
　しかしながら、このようなものは、ディスク載置面が金属であるので高速回転時にはディスクがスリップしてしまう問題があるし、ディスクの内径を保持するバネ材がないため、ディスクの保持に問題があり、正確にセンタリングできない。
　また、このバネ材をコレットチャックとしてターンテーブル上に同心状に多数備えたものがある。（特許文献２、３参照）
　しかしながら、このようなものは突起部がアンダーカットとなって樹脂では成形ができない。
【特許文献１】特開平６−６０５３１号公報
【特許文献２】特開昭６３−９９３５３号公報
【特許文献３】特開平６−８９４９１号公報
【発明の開示】
【発明が解決しようとする課題】
【０００３】
　この発明の目的は、快削黄銅などを切削してなる高価なターンテーブルを使用しなくても機能を果たすことができるようにしてコスト的に有利ならしめるものであり、別の目的はメディアの内径部分を押さえておくのに別に薄い板バネなどを用いなくてもすむようにすることにある。　　　　　　　
【課題を解決するための手段】
【０００４】
　上記のような課題を解決するには、請求項１に示すようにロータケースの上側にターンテーブルを構成するもので、ロータケースの上側にメディアディスクをセンタリングする樹脂製の立ち上げ部が該ロータケースに一体に形成され、前記ロータケースの内側に配したマグネットと、前記ロータケースに圧入された軸とからなるロータを備え、さらに、前記ロータに前記立ち上げ部の外周の位置で成形用金型挿入口が設けられ、この成形用金型挿入口を介してメディアを保持する少なくとも１個のメディアチャック用バネ部が前記立ち上げ部と一体に同樹脂で形成されたもので達成できる。
　具体的には、請求項２に示すように、前記ロータケース上面に外周部にメディア載置部が弾力性のある樹脂で一体に形成されているものがよい。
　そして、請求項３に示すように立ち上げ部（８ａ）とメディア載置部（８）は一体に形成されたものにすると良い。
【発明の効果】
【０００５】
　請求項１に示す発明では、メディアチャック用バネ部を特別に用意しなくてすむので、コストと取り付け手間を省くことができ、ロータケースに一体に形成した立ち上げ部（８ａ）によってメディアディスクのセンタリングができ、成形用金型挿入口によってメディアチャック用バネ部（８ｃ）を立ち上げ部と一体に同一樹脂で形成することができる。 
　請求項２に示す発明では、弾力性樹脂によってメディアディスクはスリップしにくくなるので、高速回転用に好適となる。
　請求項３に示す発明では、メディア載置部と立ち上げ部を一体に同一樹脂で形成することができる　
【発明を実施するための最良の形態】
【０００６】
　ロータケースの上側にメディアディスクをセンタリングする樹脂製の立ち上げ部が該ロータケースに一体に形成され、前記ロータケースの内側に配したマグネットと、前記ロータケースに圧入された軸とからなるロータを備え、前記ロータには前記立ち上げ部の外周の位置で成形用金型挿入口が設けられ、この成形用金型挿入口を介してメディアを保持する少なくとも１個のメディアチャック用バネ部が前記立ち上げ部と一体に同樹脂で形成された。
　次にこの発明の実施の形態を図面に基づき説明する。
　図１はこの発明の樹脂製のターンテーブルを備えたブラシレスモータの第１の実施の形態として径方向空隙式コアード型の構成を示す要部断面図、図２は同モータの主要部材の部分の拡大要部断面図である。
【実施例１】
【０００７】
　図１において、１は薄手のステンレス板などからなるステータベースで、上面にガラスクロスエポキシ板からなる回路基板２を配すると共に、中央に橋絡部１ａを残して３個の支骨片１ｂ‥‥を立ち上げ、この支骨片１ｂ‥‥の部分を高摺動性樹脂で一体成形した軸ホルダ３を設けている。この軸ホルダ３の外周には複数個の突極４ａ‥‥にそれぞれ電機子コイル４ｂ‥‥を巻き線してなるステータコア４が接着、溶着などの手段によって固着され、前記各電機子コイル４ｂ‥‥の端末４ｃを前記の回路基板２の所定のパターンに半田結線している。
【０００８】
　一方、ロータＲは、前記の軸ホルダ３に直接回転自在に装着した軸５と、この軸５を圧入することによって取り付けられたロータケース６と、このロータケース６の内側において前記ステータコア４の突極４ａ‥‥に径方向空隙を介して臨ませるように板状のものをカールして圧入固着したリング状ラバーマグネット７からなり、前記ロータケース６の上側にターンテーブルとして機能する樹脂製のメディア載置部８を一体に形成する。このメディア載置部８の内側の軸の周りはセンタリングするメディアの内径よりわずかに小となるように少し立ち上げられ、この立ち上げ部８ａの外周に、成型用金型挿入口８ｂを介して下方に垂下するメディアチャック用バネ部８ｃを同樹脂で一体に形成してなるものである。この場合、メディアチャック用バネ部８ｃは３個等分配置するのが望ましいが１個だけでもよい。また、このバネ部８ｃの外周はメディアディスクの内径よりわずかに大にし、良好なバネ性をもって押圧保持するようにしたものである。
　そして、このようなロータケース６を前記軸に圧入後、図２に示すようにこの軸を基準にして前記メディア載置部８を想像線で示す部分を切削加工することにより軸垂直度を出したものである。
【０００９】
　このような樹脂製のターンテーブルは高速回転型メディア用として比較的硬度のある弾力性樹脂を使用するのが望ましい。
【産業上の利用可能性】
【００１０】
　この発明は、メディアディスクを載置するスピンドルモータとしてメディアチャック用バネ部を特別に用意しなくてすむので、コストと取り付け手間を省くことができ、ＤＶＤ，ＣＤ，ＭＤなどのディスクメディアを駆動するスピンドルモータに用いて好適なものとなる。
【図面の簡単な説明】
【００１１】
【図１】この発明の樹脂製ターンテーブルを備えたブラシレスモータの第１の実施の形態として径方向空隙式コアード型の構成を示す要部断面図である。
【図２】同モータの主要部材の部分の拡大要部断面図である。
【図３】従来のターンテーブルを備えたブラシレスモータの要部断面図である。
【図４】従来の樹脂製ターンテーブルを備えたブラシレスモータの要部断面図である。
【符号の説明】
【００１２】
　１　ステータベース　　　　　　　　　　　　　　　　　　　　　　　　　　　　
　　１ａ　橋絡部
　　１ｂ　支骨片
　２　回路基板
　３　軸ホルダ　
　４　ステータ
　　４ａ　突極
　　４ｂ　電機子コイル　
　５　軸
　６　ロータケース
　７　リング状ラバーマグネット
　８　メディア載置部
　８ａ　立ち上げ部
　８ｂ　成型用金型挿入口
　８ｃ　メディアチャック用バネ部
【図１】
2004146056.tif 000003
【図２】
2004146056.tif 000004
【図３】
2004146056.tif 000005
【図４】
2004146056.tif 000006